(57)【要約】【課題】外部記憶媒体に記憶させた画像データの前記外部記憶媒体における記憶先を確実に管理することが可能な画像処理装置を提供する。【解決手段】制御部１０は、原稿読取部１５によって原稿から読み取った画像データをＵＳＢメモリ５に記憶させた場合、ＵＳＢメモリ５における前記画像データのフォルダ名及びファイル名を含む記憶先情報を生成する。制御部１０は、ユーザによって記憶先情報の出力先としてＵＳＢメモリ５が選択された場合、生成した記憶先情報をＵＳＢメモリ５のルートフォルダにファイルとして記憶させる。また、制御部１０は、ユーザによって記憶先情報の出力先として画像出力が選択された場合、生成した記憶先情報に基づく画像を、画像形成部１７によって記録用紙に画像形成する。【選択図】図２
2008027059.tif 000002
【特許請求の範囲】
【請求項１】
外部記憶媒体の着脱が可能な装着部と、原稿を読み取って画像データを取得する原稿読取手段と、前記装着部に装着された外部記憶媒体を記憶先として受け付ける記憶先受付手段と、前記原稿読取手段が取得した画像データを前記記憶先受付手段が受け付けた記憶先に記憶させる記憶制御手段とを備える画像処理装置において、
前記記憶制御手段が前記外部記憶媒体に画像データを記憶させた場合、前記外部記憶媒体を記憶先とする記憶先情報を生成する生成手段を備えることを特徴とする画像処理装置。
【請求項２】
前記生成手段が生成した記憶先情報に基づく画像を記録シートに記録する手段を備えることを特徴とする請求項１に記載の画像処理装置。
【請求項３】
前記記憶制御手段は、前記生成手段が生成した記憶先情報を前記外部記憶媒体に記憶させるように構成してあることを特徴とする請求項１又は２に記載の画像処理装置。
【請求項４】
前記生成手段が生成した記憶先情報を記憶する記憶先情報記憶手段と、
該記憶先情報記憶手段に記憶させてある記憶先情報に基づく画像を記録シートに記録する指示を受け付ける記録指示受付手段と、
該記録指示受付手段が前記指示を受け付けた場合、前記記憶先情報記憶手段に記憶させてある記憶先情報に基づく画像を記録シートに記録する手段と
を備えることを特徴とする請求項１に記載の画像処理装置。
【請求項５】
前記生成手段が生成した記憶先情報を記憶する記憶先情報記憶手段と、
該記憶先情報記憶手段に記憶させてある記憶先情報を前記外部記憶媒体に記憶させる指示を受け付ける記憶指示受付手段と
を備え、
前記記憶制御手段は、前記記憶指示受付手段が前記指示を受け付けた場合、前記記憶先情報記憶手段に記憶させてある記憶先情報を前記外部記憶媒体に記憶させるように構成してあることを特徴とする請求項１に記載の画像処理装置。
【請求項６】
前記外部記憶媒体は、前記画像データを階層構造で記憶する構成としてあり、
前記記憶先情報は、前記画像データに係るフォルダ情報及びファイル情報を含むことを特徴とする請求項１乃至５のいずれかひとつに記載の画像処理装置。
【請求項７】
前記記憶先情報は、該記憶先情報が示す記憶先に記憶された画像データを前記外部記憶媒体から読み出すためのリンク情報を含むことを特徴とする請求項１乃至６のいずれかひとつに記載の画像処理装置。
【発明の詳細な説明】
【技術分野】
【０００１】
本発明は、外部記憶媒体の装着が可能な画像処理装置に関する。特に、原稿を読み取って取得した画像データを外部記憶媒体に記憶させる際に、記憶先のフォルダの指定が可能な画像処理装置に関する。
【背景技術】
【０００２】
画像処理装置として、記録用紙に記録された画像を走査して画像データを取り込み、取り込んだ画像データに基づく画像を形成して画像出力する複写機能、取り込んだ画像データを外部の装置へ送信する送信機能、ファクシミリ通信を用いて他のファクシミリ装置との間でデータを送受信するファクシミリ機能、及び通信線等を介して外部の装置から取得したデータを画像出力するプリンタ機能等、複数の機能を搭載したデジタル複合機（以下、ＭＦＰ：Multi Function Peripheralという）が普及している。
【０００３】
一方、パーソナルコンピュータ（以下、ＰＣという）を利用して作成した文書データ及び画像データ等の各種データを他のＰＣで利用する際に用いる可搬型記憶媒体としては、従来はフレキシブルディスクが一般的であった。しかし、近年では、可搬型記憶媒体として、大容量の記憶容量を有すると共に、機械的な可動部分がないため、耐久性及び耐振動性が高いＵＳＢ（Universal Serial Bus）メモリが、小型軽量化が進んだことも相俟って、フレキシブルディスクに取って代わろうとしている。ＵＳＢメモリは、ＵＳＢマスストレージクラスに準拠しており、ＵＳＢの接続口を備えたＰＣであれば新たなドライバをインストールせずともアクセスできるため、利便性が高く注目されている。
【０００４】
特許文献１では、このようなＵＳＢメモリの装着が可能であり、記録用紙から取り込んだ画像データをＵＳＢメモリに記憶するように構成された通信装置が開示されている。なお、特許文献１で示された通信装置は、ユーザが、ＵＳＢメモリに画像データを記憶させる際に、ＵＳＢメモリに設定されたフォルダを記憶先として指定することができるように構成されている。これにより、ＰＣを用いて、ＵＳＢメモリに記憶させた画像データに容易にアクセスすることができる。
【特許文献１】特開２００３−３１９１０４号公報
【発明の開示】
【発明が解決しようとする課題】
【０００５】
しかし、上述したように、ユーザがフォルダを指定して画像データをＵＳＢメモリに記憶させたにも拘わらず、ＰＣを用いてＵＳＢメモリにアクセスする際に、画像データを記憶させたフォルダをユーザが忘れてしまう場合がある。特に、ＵＳＢメモリに複数のフォルダが設定されている場合には、画像データを記憶させたフォルダを探さなければならないという煩瑣な作業が必要になり、ユーザの負担が増大するという問題がある。
【０００６】
本発明は斯かる事情に鑑みてなされたものであり、その目的とするところは、外部記憶媒体に記憶させた画像データの前記外部記憶媒体における記憶先を確実に管理することが可能な画像処理装置を提供することにある。
【０００７】
本発明の他の目的は、外部記憶媒体に記憶させた画像データの前記外部記憶媒体における記憶先に関する情報を記録シートに画像形成することにより、ユーザが、外部記憶媒体における各画像データの記憶先を容易に把握することが可能な画像処理装置を提供することにある。
【０００８】
更に、本発明の他の目的は、外部記憶媒体に記憶させた画像データの前記外部記憶媒体における記憶先を前記外部記憶媒体自身に記憶させることにより、外部記憶媒体における各画像データの記憶先を前記外部記憶媒体自身で確実に管理することが可能な画像処理装置を提供することにある。
【０００９】
更に、本発明の他の目的は、外部記憶媒体に記憶させた画像データの記憶先情報に、各画像データに係るフォルダ情報及びファイル情報を含めることにより、外部記憶媒体における各画像データを、フォルダ情報及びファイル情報によってより容易に管理することが可能な画像処理装置を提供することにある。
【００１０】
更に、本発明の他の目的は、外部記憶媒体に記憶させた画像データの記憶先情報に、各画像データを前記外部記憶媒体から読み出すためのリンク情報を含めることにより、外部記憶媒体における各画像データをより容易に外部記憶媒体から読み出すことが可能な画像処理装置を提供することにある。
【課題を解決するための手段】
【００１１】
本発明に係る画像処理装置は、外部記憶媒体の着脱が可能な装着部と、原稿を読み取って画像データを取得する原稿読取手段と、前記装着部に装着された外部記憶媒体を記憶先として受け付ける記憶先受付手段と、前記原稿読取手段が取得した画像データを前記記憶先受付手段が受け付けた記憶先に記憶させる記憶制御手段とを備える画像処理装置において、前記記憶制御手段が前記外部記憶媒体に画像データを記憶させた場合、前記外部記憶媒体を記憶先とする記憶先情報を生成する生成手段を備えることを特徴とする。
【００１２】
本発明によれば、外部記憶媒体の着脱が可能な画像処理装置が、原稿を読み取って取得した画像データを前記外部記憶媒体に記憶させる場合、前記外部記憶媒体を記憶先として受け付ける。前記画像処理装置は、受け付けた記憶先に前記画像データを記憶させた場合、前記外部記憶媒体を記憶先とする記憶先情報を生成する。よって、外部記憶媒体に画像データを記憶させた場合に、前記画像データの記憶先情報を管理することが可能となる。
【００１３】
本発明に係る画像処理装置は、前記生成手段が生成した記憶先情報に基づく画像を記録シートに記録する手段を備えることを特徴とする。
【００１４】
本発明によれば、画像処理装置が、外部記憶媒体に画像データを記憶させた場合に生成した前記画像データの記憶先情報を記録シートに記録する。従って、外部記憶媒体に記憶させた画像データの記憶先が画像形成された記録シートによって、各画像データの記憶先を管理することが可能となる。
【００１５】
本発明に係る画像処理装置は、前記記憶制御手段は、前記生成手段が生成した記憶先情報を前記外部記憶媒体に記憶させるように構成してあることを特徴とする。
【００１６】
本発明によれば、画像処理装置が、外部記憶媒体に画像データを記憶させた場合に生成した前記画像データの記憶先情報を前記外部記憶媒体に記憶させる。よって、外部記憶媒体に記憶させた画像データの記憶先を示す記憶先情報を外部記憶媒体において管理することが可能となる。
【００１７】
本発明に係る画像処理装置は、前記生成手段が生成した記憶先情報を記憶する記憶先情報記憶手段と、該記憶先情報記憶手段に記憶させてある記憶先情報に基づく画像を記録シートに記録する指示を受け付ける記録指示受付手段と、該記録指示受付手段が前記指示を受け付けた場合、前記記憶先情報記憶手段に記憶させてある記憶先情報に基づく画像を記録シートに記録する手段とを備えることを特徴とする。
【００１８】
本発明によれば、画像処理装置が、外部記憶媒体に画像データを記憶させた場合に生成した前記画像データの記憶先情報を記憶する。よって、外部記憶媒体に記憶させた画像データの記憶先を、画像処理装置の内部で管理することが可能となる。また、画像処理装置が、記憶している記憶先情報に基づく画像を記録シートに記録する指示を受け付けた場合、前記記憶先情報に基づく画像を記録シートに記録することにより、必要に応じて、各画像データの記憶先を前記記録シートによっても管理することが可能となる。
【００１９】
本発明に係る画像処理装置は、前記生成手段が生成した記憶先情報を記憶する記憶先情報記憶手段と、該記憶先情報記憶手段に記憶させてある記憶先情報を前記外部記憶媒体に記憶させる指示を受け付ける記憶指示受付手段とを備え、前記記憶制御手段は、前記記憶指示受付手段が前記指示を受け付けた場合、前記記憶先情報記憶手段に記憶させてある記憶先情報を前記外部記憶媒体に記憶させるように構成してあることを特徴とする。
【００２０】
本発明によれば、画像処理装置が、外部記憶媒体に画像データを記憶させた場合に生成した前記画像データの記憶先情報を記憶する。よって、外部記憶媒体に記憶させた画像データの記憶先を、画像処理装置の内部で管理することが可能となる。また、画像処理装置が、記憶している記憶先情報を前記外部記憶媒体に記憶させる指示を受け付けた場合、前記記憶先情報を前記外部記憶媒体に記憶させることにより、必要に応じて、各画像データの記憶先を外部記憶媒体においても管理することが可能となる。
【００２１】
本発明に係る画像処理装置は、前記外部記憶媒体は、前記画像データを階層構造で記憶する構成としてあり、前記記憶先情報は、前記画像データに係るフォルダ情報及びファイル情報を含むことを特徴とする。
【００２２】
本発明によれば、外部記憶媒体が画像データを階層構造で記憶しており、外部記憶媒体に画像データを記憶させた場合に生成する記憶先情報が、前記画像データに係るフォルダ情報及びファイル情報を含むことにより、外部記憶媒体に記憶させてある各画像データの記憶先の管理がより容易になる。
【００２３】
本発明に係る画像処理装置は、前記記憶先情報は、該記憶先情報が示す記憶先に記憶された画像データを前記外部記憶媒体から読み出すためのリンク情報を含むことを特徴とする。
【００２４】
本発明によれば、外部記憶媒体に画像データを記憶させた場合に生成する記憶先情報が、前記記憶先情報に係る画像データを前記外部記憶媒体から読み出すためのリンク情報を含むことにより、外部記憶媒体に記憶させてある各画像データの読み出しがより容易となる。
【発明の効果】
【００２５】
本発明では、外部記憶媒体の着脱が可能な画像処理装置が、原稿を読み取って取得した画像データを、外部から受け付けた記憶先に基づいて外部記憶媒体に記憶させた場合、前記外部記憶媒体を記憶先とする記憶先情報を生成する。これにより、原稿から読み取って外部記憶媒体に記憶させた画像データの記憶先を管理することができ、外部記憶媒体に記憶させた画像データを読み出す際のユーザの負担を軽減することができる。
【００２６】
本発明では、画像処理装置が、外部記憶媒体に画像データを記憶させた場合に生成した前記画像データの記憶先情報を記録シートに画像形成する。これにより、ユーザは、前記記録シートによって、外部記憶媒体における各画像データの記憶先を容易に把握することができる。
【００２７】
本発明では、画像処理装置が、外部記憶媒体に画像データを記憶させた場合に生成した前記画像データの記憶先情報を前記外部記憶媒体に記憶させる。これにより、前記画像処理装置以外の装置、例えば、ＰＣを用いて前記外部記憶媒体にアクセスした場合であっても、外部記憶媒体における各画像データの記憶先を確実に管理することができる。従って、ユーザは、外部記憶媒体に記憶させた画像データの記憶先を確実に把握できるので、外部記憶媒体から所望の画像データを容易に読み出すことができる。
【００２８】
本発明では、画像処理装置が、外部記憶媒体に画像データを記憶させた場合に生成した前記画像データの記憶先情報を自身の装置内部に記憶させておき、必要に応じて、前記記憶先情報を記録シートに記録する。これにより、外部記憶媒体における各画像データの記憶先を画像処理装置において確実に管理することができると共に、前記記憶先情報が記録された記録シートによって容易に把握することができる。
【００２９】
本発明では、画像処理装置が、外部記憶媒体に画像データを記憶させた場合に生成した前記画像データの記憶先情報を自身の装置内部に記憶させておき、必要に応じて、前記記憶先情報を前記外部記憶媒体に記憶させる。これにより、外部記憶媒体における各画像データの記憶先を画像処理装置又は外部記憶媒体において確実に管理することができる。
【００３０】
本発明では、外部記憶媒体に画像データを階層構造で記憶させ、外部記憶媒体に記憶させた画像データの記憶先情報に、各画像データに係るフォルダ情報及びファイル情報を含めることにより、外部記憶媒体に記憶させてある各画像データの記憶先を、フォルダ情報及びファイル情報によってより容易に把握することができる。
【００３１】
本発明では、外部記憶媒体に記憶させた画像データの記憶先情報に、各画像データを前記外部記憶媒体から読み出すためのリンク情報を含めることにより、外部記憶媒体に記憶させてある各画像データをより容易に外部記憶媒体から読み出すことができる。
【発明を実施するための最良の形態】
【００３２】
以下に、本発明に係る画像処理装置をその実施の形態であるＭＦＰを示す図面に基づいて詳述する。
【００３３】
（実施形態１）
図１は本発明に係る画像処理装置としてのＭＦＰを含むネットワーク構成例を示す模式図であり、図中１は本発明の画像処理装置であるＭＦＰを示している。ＭＦＰ１は、ＬＡＮ（Local Area Network）を介して複数のコンピュータ（以下、ＰＣという）２，２と接続されている。また、ＭＦＰ１は、公衆電話交換網ＰＳＴＮを介して外部のＭＦＰ３及びファクシミリ装置４とも接続されている。なお、ＬＡＮには図示されている他にも多数のＰＣが接続されており、公衆電話交換網ＰＳＴＮには図示されている他にも多数のＭＦＰ及びファクシミリ装置が接続されていることは言うまでもない。従って、ＭＦＰ１は、ＬＡＮを介して複数のＰＣ２，２と、公衆電話交換網ＰＳＴＮを介して他のＭＦＰ３及びファクシミリ装置４と通信可能である。
【００３４】
図２は本発明に係るＭＦＰ１の内部構成例を示すブロック図であり、ＭＦＰ１は、ＣＰＵ（Central Processing Unit ）又はＭＰＵ（Micro Processor Unit）等で構成してある制御部１０を備えている。制御部１０は、バス１０ａを介して、ＲＯＭ１１、ＲＡＭ１２、ＮＣＵ（Network Control Unit）１３、モデム１４、原稿読取部１５、画像メモリ１６、画像形成部１７、操作部１８、操作パネル１９、ＬＡＮに接続するためのＬＡＮインタフェース２０、ＨＤＤ（Hard Disk Drive ）２１、ＵＳＢメモリ５にアクセスするためのＵＳＢインタフェース２２等と接続されている。
【００３５】
制御部１０は、上述したようなハードウェア各部を制御すると共に、ＲＯＭ１１に予め格納されている制御プログラムに従って、種々のソフトウェア的機能を実現する。ＲＯＭ１１は、制御部１０が本発明の画像処理装置として動作するために必要な種々の制御プログラムを記憶している。また、ＲＡＭ１２は、ＳＲＡＭ又はフラッシュメモリ等で構成されており、制御部１０による制御プログラムの実行時に発生するデータを一時的に記憶する。
【００３６】
モデム１４は、ファクシミリ通信が可能なファックスモデムで構成されており、ＮＣＵ１３とも直接的に接続されている。ＮＣＵ１３は、公衆電話交換網ＰＳＴＮと接続されており、必要に応じてモデム１４を公衆電話交換網ＰＳＴＮと接続し、公衆電話交換網ＰＳＴＮを介して外部のＭＦＰ３及びファクシミリ装置４との間でのファクシミリ通信を可能としている。
【００３７】
原稿読取部（原稿読取手段）１５は、ＣＣＤ(Charge Coupled Device)を利用したスキャナで構成されており、原稿を読み取ることにより画像データを取得し、取得した画像データを画像メモリ１６に記憶させる。画像メモリ１６は、ＤＲＡＭにより構成されており、モデム１４及びＮＣＵ１３を介したファクシミリ通信により受信した画像データ、及び原稿読取部１５により読み取った画像データを一時的に記憶する。
【００３８】
画像形成部１７は、例えば電子写真方式のプリンタ装置であって、画像メモリ１６に記憶させてある画像データに基づく画像を、ハードコピーとしてＡ３縦，Ｂ４縦，Ａ４縦，Ｂ５横及びＡ５横等の各サイズの記録用紙又はＯＨＰ(Over Head Projector) シート等の記録シートから最適なサイズのものを選択して記録する。
【００３９】
操作パネル１９は、ユーザの操作により制御命令等の情報が入力されるタッチパネル又はテンキー等の入力部と、液晶ディスプレイ（ＬＣＤ）等で構成され、ＭＦＰ１の動作状態、入力部から入力された情報、ユーザに通知すべき情報等の表示を行なう表示部とにより構成されている。操作部１８は、操作パネル１９の入力部に設けられたキー以外のキー、例えば、原稿の読取の開始を指示するスタートキー、各種の処理の中断を指示するストップキー、短縮ダイヤルキー及び各種のファンクションキー等を備えている。
【００４０】
上述した構成により、ＭＦＰ１は、図示しない所定の原稿載置台にユーザにより載置された原稿を原稿読取部１５により読み取り、得られた画像データをＮＣＵ１３及びモデム１４を介して公衆電話交換網ＰＳＴＮに接続されている他のＭＦＰ３及びファクシミリ装置４へ送信し、また、外部のＭＦＰ３及びファクシミリ装置４がファクシミリ通信にて送信した画像データを、公衆電話交換網ＰＳＴＮを介して受信するファクシミリ装置として機能する。
【００４１】
また、ＭＦＰ１は、原稿読取部１５により原稿を読み取り、得られた画像データに基づく画像を画像形成部１７で記録用紙に複写する複写装置としても機能する。また、ＭＦＰ１は、ＬＡＮインタフェース２０を介してＬＡＮに接続してあるＰＣ２，２から受信したデータに基づく画像を画像形成部１７で記録用紙に記録するネットワークプリンタとしても機能する。更に、ＭＦＰ１は、原稿読取部１５により原稿を読み取り、得られた画像データをＬＡＮインタフェース２０を介してＬＡＮに接続してあるＰＣ２，２へ送信するネットワークスキャナとしても機能する。
【００４２】
更に、ＭＦＰ１は、記憶容量の大きいＨＤＤ２１を備えており、上述したように、ファクシミリ通信により外部から受信した画像データ、原稿読取部１５により原稿から読み取った画像データ、及びＬＡＮを介して外部のＰＣ２，２から受信した画像データを適宜ＨＤＤ２１に記憶させて各種の処理を並行して行なっている。また、ＭＦＰ１は、上述したような各種の画像データを、ユーザが再利用できるように画像ファイルとしてＨＤＤ２１に蓄積させておくことにより、画像データのファイルサーバ装置としても機能する。
【００４３】
ここで、本実施形態１のＭＦＰ１は、外部記憶媒体としてのＵＳＢメモリ５の着脱が可能な装着ポート（装着部）２２ａを備えており、図中の矢符Ａで示す方向でＵＳＢメモリ５をＭＦＰ１に装着することにより、ＵＳＢメモリ５のコネクタと装着ポート２２ａとが接続される。これにより、ＭＦＰ１は、原稿読取部１５により原稿を読み取って得られた画像データを、装着ポート２２ａに装着されたＵＳＢメモリ５にＵＳＢインタフェース２２を介して記憶させることもできる。
【００４４】
以下に、ＭＦＰ１において、原稿から読み取った画像データをＵＳＢメモリ５に記憶させる処理について説明する。図３及び図４は操作パネル１９に表示される表示画面の構成例を示す模式図であり、図３（ａ）は、ＭＦＰ１をスキャナとして動作させる際の待機画面の例を示している。本実施形態１のＭＦＰ１においては、原稿を読み取る際の設定条件として、画質、濃度、解像度及び読取サイズの設定が可能に構成してある。従って、図３（ａ）に示す待機画面には、画質の設定を行なうための画質キーと、濃度の設定を行なうための濃度キーと、解像度の設定を行なうための解像度キーと、読取サイズの設定を行なうための読取サイズキーとが表示してある。
【００４５】
また、図３（ａ）に示す待機画面には、原稿から読み取った画像データを保存（記憶）する際の保存先としてのファイル名を入力するためのファイル名キーが表示してある。本実施形態１のＭＦＰ１においては、ユーザによりファイル名キーが操作された場合、操作パネル１９にソフトキーボードが表示され、任意のファイル名を入力できるように構成されている。なお、ファイル名が入力されない場合は、制御部１０が、例えば日時情報に基づいてファイル名を生成する。
【００４６】
ここで、ＵＳＢメモリ５は画像データを階層構造で記憶しており、本実施形態１のＭＦＰ１は、原稿から読み取った画像データをＵＳＢメモリ５に設けられている任意のフォルダに記憶できるように構成されている。図３（ａ）に示す待機画面には参照キーが表示されており、ユーザによって参照キーが操作された場合、ＭＦＰ１は、装着ポート２２ａに装着されたＵＳＢメモリ５に設けられたフォルダの構成情報を取得し、図３（ｂ）に示すようなフォルダ指定画面を操作パネル１９に表示させる。なお、装着ポート２２ａにＵＳＢメモリ５が装着されていない場合には、図４（ｂ）に示す表示画面が操作パネル１９に表示され、ＵＳＢメモリ５の装着を促す。
【００４７】
図３（ｂ）に示すフォルダ指定画面には、ＵＳＢメモリ５に設けられたフォルダがツリー状に表示されており、ユーザは所望のフォルダのフォルダ名に触れることにより、任意のフォルダを選択することができる。図３（ｂ）では、フォルダ名「\FolderA\FolderA1」のフォルダが選択されている。図３（ｂ）に示すフォルダ指定画面において、ユーザによって確定キーが操作された場合、操作パネル１９は、ユーザによって選択されたフォルダ名（記憶先）を受け付ける記憶先受付手段として動作し、受け付けたフォルダ名を制御部１０へ通知する。
【００４８】
ＭＦＰ１の制御部１０は、操作パネル１９を介してユーザが選択したフォルダ名を、ユーザからの入力又は制御部１０による生成処理によって生成されたファイル名と共に、原稿から読み取った画像データの記憶先としてＲＡＭ１２に記憶させておく。また、制御部１０は、ユーザが操作部１８のスタートキーを操作した場合、原稿読取部１５によって原稿を読み取り、得られた画像データを、ＲＡＭ１２に記憶させておいたフォルダ名及びファイル名を指定してＵＳＢメモリ５に記憶させる記憶制御手段として動作する。
【００４９】
ここで、本実施形態１のＭＦＰ１は、上述したように原稿から読み取った画像データをＵＳＢメモリ５に記憶させた場合、記憶先のフォルダを示すフォルダ情報及びファイルを示すファイル情報をＵＳＢメモリ５に記憶させるか、又は画像出力させることが可能に構成されている。従って、制御部１０は、原稿から読み取った画像データをＵＳＢメモリ５に記憶させた場合、記憶先のフォルダのフォルダ情報及びファイルのファイル情報を含む記憶先情報を生成する生成手段として動作する。
【００５０】
ＭＦＰ１は、上述したように生成した記憶先情報をＵＳＢメモリ５に記憶させるか、又は画像出力させる選択を受け付けるために、図３（ｂ）に示すフォルダ指定画面において、画像データの記憶先が設定された場合、図３（ｃ）に示す表示画面を操作パネル１９に表示させる。図３（ｃ）は、記憶先情報の出力先の選択を促す出力先選択画面であり、「ＵＳＢメモリ」又は「画像出力」がユーザによって選択された場合、制御部１０は、選択された出力先をＲＡＭ１２に記憶させておく。また、制御部１０は、図４（ａ）に示すように、ユーザによって指定された記憶先及び記憶先情報の出力先が表示された待機画面を操作パネル１９に表示させる。なお、図４（ａ）に示す待機画面は、記憶先情報の出力先としてＵＳＢメモリ５が選択された場合を示している。
【００５１】
ユーザは、図４（ａ）に示す待機画面に基づいて、自身が設定した記憶先及び記憶先情報の出力先が正しいか否かを確認し、正しければ操作部１８のスタートキーを操作して原稿の読取の開始を指示する。ＭＦＰ１の制御部１０は、ユーザによって操作部１８のスタートキーが操作された場合、所定の原稿載置台に載置された原稿を原稿読取部１５により読み取り、得られた画像データを画像メモリ１６に一旦記憶させる。また、制御部１０は、ＲＡＭ１２に記憶させておいたフォルダ名及びファイル名を指定し、画像メモリ１６に記憶させた画像データをＵＳＢメモリ５に記憶させる。
【００５２】
また、制御部１０は、画像データを記憶させたフォルダ名及びファイル名を含む記憶先情報を生成し、生成した記憶先情報を、ＵＳＢメモリ５のルートフォルダにファイルとして記憶させる。記憶先情報は、具体的には、原稿を読み取った日時を示すスキャン日時、画像データに付与したファイル名、画像データのページ数、画像データのデータサイズ、ＵＳＢメモリ５に記憶させた画像データの記憶先等を含む。なお、記憶先情報は、ｈｔｍｌ形式又はテキスト形式のファイルとしてＵＳＢメモリ５に記憶される。
【００５３】
一方、制御部１０は、記憶先情報の出力先として画像出力が選択された場合、画像データを記憶させたフォルダ名及びファイル名を含む記憶先情報に基づく画像を、画像形成部１７によって記録用紙に画像形成する。図５は画像形成された記憶先情報を示す模式図である。図５に示すように、スキャン日時、ファイル名、ページ数、データサイズ、記憶先を含む記憶先情報が画像出力された記録用紙によって、ユーザは、ＵＳＢメモリ５に記憶させた画像データの記憶先を容易に把握することができる。
【００５４】
以下に、上述した構成のＭＦＰ１において、原稿から読み取った画像データをＵＳＢメモリ５に記憶させる処理について、フローチャートに基づいてより具体的に説明する。図６及び図７は本発明に係るＭＦＰ１による画像データのＵＳＢメモリ５への記憶処理手順を示すフローチャートである。なお、以下の処理は、ＲＯＭ１１に格納されている制御プログラムに従って制御部１０によって実行される。
【００５５】
図３（ａ）に示す待機画面において、ユーザが画質キー、濃度キー、解像度キー、読取サイズキー及びファイル名キーの各キーを操作した場合、ＭＦＰ１の操作パネル１９は、ユーザによって選択された読取条件を受け付け、操作パネル１９が受け付けた読取条件を制御部１０がＲＡＭ１２に記憶することにより設定する（Ｓ１）。
【００５６】
制御部１０は、図３（ａ）に示す待機画面において、ユーザによって参照キーが操作されたか否かを判断しており（Ｓ２）、参照キーが操作されたと判断した場合（Ｓ２：ＹＥＳ）、装着ポート２２ａにＵＳＢメモリ５が装着されているか否かを判断する（Ｓ３）。制御部１０は、参照キーが操作されていないと判断した場合（Ｓ２：ＮＯ）、ステップＳ１へ処理を戻し、操作パネル１９を介して受け付ける読取条件の設定処理を継続する。
【００５７】
制御部１０は、ＵＳＢメモリ５が装着されていると判断した場合（Ｓ３：ＹＥＳ）、ＵＳＢインタフェース２２を介してＵＳＢメモリ５に設けられたフォルダの構成情報を取得し（Ｓ４）、図３（ｂ）に示すようなフォルダ指定画面を生成して操作パネル１９に表示させる（Ｓ５）。制御部１０は、ＵＳＢメモリ５が装着されていないと判断した場合（Ｓ３：ＮＯ）、図４（ｂ）に示すような、ＵＳＢメモリ５の装着を促す表示画面を操作パネル１９に表示させ（Ｓ６）、ステップＳ３へ処理を戻す。
【００５８】
制御部１０は、図３（ｂ）に示すフォルダ指定画面において、ユーザによって確定キーが操作されたか否かを判断しており（Ｓ７）、確定キーが操作されていないと判断した場合（Ｓ７：ＮＯ）、ユーザによってキャンセルキーが操作されたか否かを判断する（Ｓ８）。制御部１０は、キャンセルキーが操作されていないと判断した場合（Ｓ８：ＮＯ）、ステップＳ７へ処理を戻し、図３（ｂ）に示すフォルダ指定画面において、確定キー又はキャンセルキーのいずれかが操作されるまで待機し、キャンセルキーが操作されたと判断した場合（Ｓ８：ＹＥＳ）、何も行なわずに上述した処理を終了する。
【００５９】
制御部１０は、図３（ｂ）に示すフォルダ指定画面において、ユーザによって確定キーが操作されたと判断した場合（Ｓ７：ＹＥＳ）、フォルダ指定画面を介してユーザによって選択されたフォルダのフォルダ名を受け付け、受け付けたフォルダ名を、図３（ａ）に示す待機画面を介してユーザが入力したファイル名又は制御部１０によって生成されたファイル名と共に、ＲＡＭ１２に記憶させる（Ｓ９）。
【００６０】
次に、制御部１０は、図３（ｃ）に示すような出力先選択画面を生成して操作パネル１９に表示させる（Ｓ１０）。制御部１０は、図３（ｃ）に示す出力先選択画面において、ユーザによってＵＳＢメモリキーが操作されたか否かを判断しており（Ｓ１１）、ＵＳＢメモリキーが操作されたと判断した場合（Ｓ１１：ＹＥＳ）、ＵＳＢメモリ５を記憶先情報の出力先としてＲＡＭ１２に記憶させることにより設定する（Ｓ１２）。また、制御部１０は、ＵＳＢメモリキーが操作されていないと判断した場合（Ｓ１１：ＮＯ）、画像出力キーが操作されたか否かを判断する（Ｓ１３）。
【００６１】
制御部１０は、ユーザによって画像出力キーが操作されたと判断した場合（Ｓ１３：ＹＥＳ）、画像出力を記憶先情報の出力先としてＲＡＭ１２に記憶させることにより設定する（Ｓ１４）。なお、制御部１０は、画像出力キーが操作されていないと判断した場合（Ｓ１３：ＮＯ）、ステップＳ１１へ処理を戻し、図３（ｃ）に示す出力先選択画面において、ＵＳＢメモリキー又は画像出力キーのいずれかが操作されるまで待機する。
【００６２】
次に、制御部１０は、図４（ａ）に示すような待機画面を生成して操作パネル１９に表示させる（Ｓ１５）。制御部１０は、ユーザによって操作部１８のスタートキーが操作されたか否かを判断しており（Ｓ１６）、スタートキーが操作されたと判断した場合（Ｓ１６：ＹＥＳ）、原稿読取部１５によって原稿を読み取り、得られた画像データを画像メモリ１６に一旦記憶させる（Ｓ１７）。なお、制御部１０は、スタートキーが操作されていないと判断した場合（Ｓ１６：ＮＯ）、スタートキーが操作されるまで待機する。
【００６３】
制御部１０は、ステップＳ９でＲＡＭ１２に記憶させたフォルダ名及びファイル名を指定し、画像メモリ１６に記憶させた画像データをＵＳＢメモリ５に記憶させ（Ｓ１８）、ＵＳＢメモリ５に記憶させた画像データのフォルダ情報及びファイル情報を含む記憶先情報を生成する（Ｓ１９）。
【００６４】
制御部１０は、ステップＳ１２又はステップＳ１４でＲＡＭ１２に記憶させた記憶先情報の出力先がＵＳＢメモリ５であるか否かを判断しており（Ｓ２０）、記憶先情報の出力先がＵＳＢメモリ５であると判断した場合（Ｓ２０：ＹＥＳ）、ステップＳ１９で生成した記憶先情報をＵＳＢメモリ５のルートフォルダにファイルとして記憶させる（Ｓ２１）。また、制御部１０は、記憶先情報の出力先がＵＳＢメモリ５でないと判断した場合（Ｓ２０：ＮＯ）、即ち、記憶先情報の出力先が画像出力である場合、ステップＳ１９で生成した記憶先情報に基づく画像を、画像形成部１７によって記録用紙に画像出力する（Ｓ２２）。
【００６５】
上述したように、ＭＦＰ１が原稿から読み取った画像データをＵＳＢメモリ５に記憶させた場合に、画像データのＵＳＢメモリ５における記憶先をＵＳＢメモリ５自身に記憶させることにより、ＭＦＰ１以外の装置、例えば、ＰＣ２，２を用いてＵＳＢメモリ５にアクセスする場合であっても、ＵＳＢメモリ５に記憶させた画像データの記憶先を確実に把握することができる。また、ＭＦＰ１が原稿から読み取った画像データをＵＳＢメモリ５に記憶させた場合に、画像データのＵＳＢメモリ５における記憶先を画像出力することにより、ユーザは、記憶先が画像出力された記録用紙によって、ＵＳＢメモリ５に記憶させた画像データの記憶先を容易に把握することができる。これにより、ＵＳＢメモリ５に記憶させた画像データを読み出す際のユーザの負担を軽減することができる。
【００６６】
（実施形態２）
以下に、本発明に係る画像処理装置を、実施形態２のＭＦＰに基づいて詳述する。なお、本実施形態２に係るＭＦＰは、上述した実施形態１のＭＦＰ１と同様の構成を有するため、構成についての説明を省略する。上述した実施形態１では、原稿から読み取った画像データをＵＳＢメモリ５へ記憶させる都度、記憶させた画像データにおける記憶先情報をＵＳＢメモリ５へ記憶させるか、又は画像出力させる構成を有するＭＦＰ１について説明した。本実施形態２のＭＦＰ１は、ＵＳＢメモリ５が装着ポート２２ａに一旦装着されてから取り外されるまでの間に、原稿から読み取られてＵＳＢメモリ５へ記憶された全ての画像データにおける記憶先情報を、一括してＵＳＢメモリ５へ記憶させるか、又は画像出力させる構成を有する。
【００６７】
以下に、本実施形態２のＭＦＰ１において、原稿から読み取った画像データをＵＳＢメモリ５に記憶させる処理について説明する。図８は操作パネル１９に表示される表示画面の構成例を示す模式図である。本実施形態２のＭＦＰ１は、上述した実施形態１のＭＦＰ１と同様に、図３（ａ）に示す待機画面及び図３（ｂ）に示すフォルダ指定画面を介してユーザから入力された各種の読取条件及び原稿から読み取った画像データの記憶先を受け付ける。
【００６８】
ＭＦＰ１の制御部１０は、操作パネル１９に表示された待機画面及びフォルダ指定画面に従ってユーザが入力した読取条件及び画像データの記憶先をＲＡＭ１２に記憶させておき、図８（ａ）に示すように、ユーザによって指定された記憶先が表示された待機画面を操作パネル１９に表示させる。ユーザは、図８（ａ）に示す待機画面に基づいて、自身が設定した記憶先が正しいか否かを確認し、正しければ操作部１８のスタートキーを操作して原稿の読取の開始を指示する。
【００６９】
ＭＦＰ１の制御部１０は、ユーザによって操作部１８のスタートキーが操作された場合、所定の原稿載置台に載置された原稿を原稿読取部１５により読み取り、得られた画像データを画像メモリ１６に一旦記憶させる。また、制御部１０は、ＲＡＭ１２に記憶させておいた記憶先を指定し、画像メモリ１６に記憶させた画像データをＵＳＢメモリ５に記憶させる。
【００７０】
更に、制御部１０は、画像データを記憶させた記憶先を示す記憶先情報を生成し、生成した記憶先情報を、ＨＤＤ（記憶先情報記憶手段）２１に記憶させてある記憶先リストに追加する。図９は記憶リストを説明するための模式図であり、図９（ａ）は記憶先リストの構成例を示す模式図である。記憶先リストは、原稿を読み取った日時を示すスキャン日時、画像データに付与したファイル名、画像データのページ数、画像データのデータサイズ、ＵＳＢメモリ５に記憶させた画像データの記憶先等を含む記憶先情報を複数有しており、ｈｔｍｌ形式又はテキスト形式のファイルとしてＨＤＤ２１に記憶されている。
【００７１】
上述したように、ＨＤＤ２１に記憶先リストを記憶しているＭＦＰ１において、制御部１０は、図８（ｂ）に示すような待機画面を操作パネル１９に表示させる。図８（ｂ）に示す待機画面は、図３（ｂ）に示した待機画面に、更に記憶先情報出力キーを表示する。図８（ｂ）に示すような待機画面において、ユーザによって記憶先情報出力キーが操作された場合、制御部１０は、図８（ｃ）に示す表示画面を操作パネル１９に表示させる。図８（ｃ）は、記憶先情報の出力先の選択を促す出力先選択画面である。
【００７２】
図８（ｃ）に示す出力先選択画面において、ユーザによってＵＳＢメモリキーが操作された場合、操作パネル１９は、ＨＤＤ２１に記憶してある記憶先リストをＵＳＢメモリ５に記憶させる指示を受け付ける記憶指示受付手段として動作する。操作パネル１９が記憶先リストをＵＳＢメモリ５に記憶させる指示を受け付けた場合、制御部１０は、図９（ａ）に示した記憶先リストをＨＤＤ２１から読み出し、ＵＳＢインタフェース２２を介してＵＳＢメモリ５のルートフォルダに記憶させる。
【００７３】
一方、図８（ｃ）に示す出力先選択画面において、ユーザによって画像出力キーが操作された場合、操作パネル１９は、ＨＤＤ２１に記憶してある記憶先リストに基づく画像を記録用紙に記録する指示を受け付ける記録指示受付手段として動作する。操作パネル１９が記憶先リストを画像出力させる指示を受け付けた場合、制御部１０は、図９（ａ）に示した記憶先リストに基づく画像を、画像形成部１７によって記録用紙に画像形成する。図９（ｂ）は画像形成された記憶先リストを示す模式図である。図９（ｂ）に示すように、スキャン日時、ファイル名、ページ数、データサイズ、記憶先を含む複数の記憶先情報が画像出力された記録用紙によって、ユーザは、ＵＳＢメモリ５に記憶させた各画像データの記憶先を容易に把握することができる。
【００７４】
以下に、上述した本実施形態２のＭＦＰ１において、原稿から読み取った画像データをＵＳＢメモリ５に記憶させる処理について、フローチャートに基づいてより具体的に説明する。図１０及び図１１は実施形態２に係るＭＦＰ１による画像データのＵＳＢメモリ５への記憶処理手順を示すフローチャートである。なお、以下の処理は、ＲＯＭ１１に格納されている制御プログラムに従って制御部１０によって実行される。
【００７５】
本実施形態２のＭＦＰ１において、制御部１０は、まず、装着ポート２２ａにＵＳＢメモリ５が装着されているか否かを判断しており（Ｓ３１）、ＵＳＢメモリ５が装着されていないと判断した場合（Ｓ３１：ＮＯ）、装着されるまで待機する。制御部１０は、ＵＳＢメモリ５が装着されていると判断した場合（Ｓ３１：ＹＥＳ）、ＵＳＢインタフェース２２を介してＵＳＢメモリ５に設けられたフォルダの構成情報を取得してＲＡＭ１２に記憶させる（Ｓ３２）。
【００７６】
図３（ａ）に示す待機画面において、ユーザが画質キー、濃度キー、解像度キー、読取サイズキー及びファイル名キーの各キーを操作した場合、ＭＦＰ１の操作パネル１９は、ユーザによって選択された読取条件を受け付け、操作パネル１９が受け付けた読取条件を制御部１０がＲＡＭ１２に記憶することにより設定する（Ｓ３３）。
【００７７】
制御部１０は、図３（ａ）に示す待機画面において、ユーザによって参照キーが操作されたか否かを判断しており（Ｓ３４）、参照キーが操作されたと判断した場合（Ｓ３４：ＹＥＳ）、ＵＳＢメモリ５から取得してＲＡＭ１２に記憶させてあるフォルダの構成情報に基づいて、図３（ｂ）に示すようなフォルダ指定画面を生成して操作パネル１９に表示させる（Ｓ３５）。制御部１０は、参照キーが操作されていないと判断した場合（Ｓ３４：ＮＯ）、ステップＳ３３へ処理を戻し、操作パネル１９を介して受け付ける読取条件の設定処理を継続する。
【００７８】
制御部１０は、図３（ｂ）に示すフォルダ指定画面において、ユーザによって確定キーが操作されたか否かを判断しており（Ｓ３６）、確定キーが操作されていないと判断した場合（Ｓ３６：ＮＯ）、ユーザによってキャンセルキーが操作されたか否かを判断する（Ｓ３７）。制御部１０は、キャンセルキーが操作されていないと判断した場合（Ｓ３７：ＮＯ）、ステップＳ３６へ処理を戻し、図３（ｂ）に示すフォルダ指定画面において、確定キー又はキャンセルキーのいずれかが操作されるまで待機し、キャンセルキーが操作されたと判断した場合（Ｓ３７：ＹＥＳ）、何も行なわずに上述した処理を終了する。
【００７９】
制御部１０は、図３（ｂ）に示すフォルダ指定画面において、ユーザによって確定キーが操作されたと判断した場合（Ｓ３６：ＹＥＳ）、フォルダ指定画面を介してユーザによって選択されたフォルダのフォルダ名を受け付け、受け付けたフォルダ名を、図３（ａ）に示す待機画面を介してユーザが入力したファイル名又は制御部１０によって生成されたファイル名と共に、ＲＡＭ１２に記憶させる（Ｓ３８）。
【００８０】
次に、制御部１０は、図８（ａ）に示すような待機画面を生成して操作パネル１９に表示させる（Ｓ３９）。制御部１０は、ユーザによって操作部１８のスタートキーが操作されたか否かを判断しており（Ｓ４０）、スタートキーが操作されたと判断した場合（Ｓ４０：ＹＥＳ）、原稿読取部１５によって原稿を読み取り、得られた画像データを画像メモリ１６に一旦記憶させる（Ｓ４１）。なお、制御部１０は、スタートキーが操作されていないと判断した場合（Ｓ４０：ＮＯ）、スタートキーが操作されるまで待機する。
【００８１】
制御部１０は、ステップＳ３８でＲＡＭ１２に記憶させたフォルダ名及びファイル名を指定し、画像メモリ１６に記憶させた画像データをＵＳＢメモリ５に記憶させ（Ｓ４２）、ＵＳＢメモリ５に記憶させ画像データのフォルダ情報及びファイル情報を含む記憶先情報を生成し、ＨＤＤ２１の記憶先リストに記憶させる（Ｓ４３）。
【００８２】
以下に、上述したように、ＨＤＤ２１に記憶先リストを記憶しているＭＦＰ１において、記憶先リストの出力処理について説明する。図１２は実施形態２に係るＭＦＰ１による記憶先リストの出力処理手順を示すフローチャートである。なお、以下の処理は、ＲＯＭ１１に格納されている制御プログラムに従って制御部１０によって実行される。
【００８３】
図８（ｂ）に示すように、記憶先情報出力キーが表示された待機画面を操作パネル１９に表示しているＭＦＰ１において、制御部１０は、ユーザによって記憶先情報出力キーが操作されたか否かを判断しており（Ｓ５１）、記憶先情報出力キーが操作されていないと判断した場合（Ｓ５１：ＮＯ）、記憶先情報出力キーが操作されるまで待機する。制御部１０は、記憶先情報出力キーが操作されたと判断した場合（Ｓ５１：ＹＥＳ）、図８（ｃ）に示すような出力先選択画面を生成して操作パネル１９に表示させる（Ｓ５２）。
【００８４】
制御部１０は、図８（ｃ）に示す出力先選択画面において、ユーザによってＵＳＢメモリキーが操作されたか否かを判断しており（Ｓ５３）、ＵＳＢメモリキーが操作されたと判断した場合（Ｓ５３：ＹＥＳ）、ＨＤＤ２１に記憶してある記憶先リストをＨＤＤ２１から読み出し、ＵＳＢインタフェース２２を介してＵＳＢメモリ５のルートフォルダに記憶させる（Ｓ５４）。また、制御部１０は、ＵＳＢメモリキーが操作されていないと判断した場合（Ｓ５３：ＮＯ）、画像出力キーが操作されたか否かを判断する（Ｓ５５）。
【００８５】
制御部１０は、ユーザによって画像出力キーが操作されたと判断した場合（Ｓ５５：ＹＥＳ）、ＨＤＤ２１に記憶してある記憶先リストに基づく画像を、画像形成部１７によって記録用紙に画像出力する（Ｓ５６）。なお、制御部１０は、画像出力キーが操作されていないと判断した場合（Ｓ５５：ＮＯ）、ステップＳ５３へ処理を戻し、図８（ｃ）に示す出力先選択画面において、ＵＳＢメモリキー又は画像出力キーのいずれかが操作されるまで待機する。
【００８６】
上述したように、ＭＦＰ１が原稿から読み取った画像データをＵＳＢメモリ５に記憶させた場合に、画像データのＵＳＢメモリ５における記憶先をＨＤＤ２１の記憶先リストに一旦記憶させておき、ユーザからの指示に従ってＵＳＢメモリ５に記憶させる。これにより、ＵＳＢメモリ５に記憶させた複数の画像データそれぞれの記憶先を確実に把握することができ、ＭＦＰ１以外の装置、例えば、ＰＣ２，２を用いてＵＳＢメモリ５にアクセスする際に、ユーザが所望の画像データを容易に検索することができる。また、ＨＤＤ２１に記憶してある記憶先リストを、ユーザからの指示に従って画像出力することにより、ユーザは、記憶先が画像出力された記録用紙によって、ＵＳＢメモリ５に記憶させた各画像データの記憶先を容易に把握することができる。
【００８７】
上述した各実施形態では、記憶先情報がスキャン日時、ファイル名、ページ数、データサイズ、記憶先を含む構成について説明したが、ＵＳＢメモリ５にアクセスする際に容易に画像データをＵＳＢメモリ５から読み出せるように、ＵＳＢメモリ５に記憶させた各画像データへのリンク情報を記憶先情報に含める構成としてもよい。
【００８８】
また、上述した各実施形態では、ＭＦＰ１に着脱可能な可搬型の外部記憶媒体としてＵＳＢ接続が可能なＵＳＢメモリ５を用いた例について説明したが、例えばＵＳＢケーブルを介してＭＦＰ１との接続が可能な音楽プレーヤ、携帯電話機、デジタルスチルカメラ、デジタルビデオカメラ等を用いることもできる。また、ＵＳＢ接続に限られず、ＩＣメモリカード、メモリスティック、フレキシブルディスク、ＭＯ（Magnet Optical disk）、ＭＦＰ１に着脱可能なハードディスク等を用いることもできる。
【図面の簡単な説明】
【００８９】
【図１】本発明に係る画像処理装置としてのＭＦＰを含むネットワーク構成例を示す模式図である。
【図２】本発明に係るＭＦＰの内部構成例を示すブロック図である。
【図３】操作パネルに表示される表示画面の構成例を示す模式図である。
【図４】操作パネルに表示される表示画面の構成例を示す模式図である。
【図５】画像形成された記憶先情報を示す模式図である。
【図６】本発明に係るＭＦＰによる画像データのＵＳＢメモリへの記憶処理手順を示すフローチャートである。
【図７】本発明に係るＭＦＰによる画像データのＵＳＢメモリへの記憶処理手順を示すフローチャートである。
【図８】操作パネルに表示される表示画面の構成例を示す模式図である。
【図９】記憶先リストを説明するための模式図である。
【図１０】実施形態２に係るＭＦＰによる画像データのＵＳＢメモリへの記憶処理手順を示すフローチャートである。
【図１１】実施形態２に係るＭＦＰによる画像データのＵＳＢメモリへの記憶処理手順を示すフローチャートである。
【図１２】実施形態２に係るＭＦＰによる記憶先リストの出力処理手順を示すフローチャートである。
【符号の説明】
【００９０】
１  ＭＦＰ（画像処理装置）
５  ＵＳＢメモリ（外部記憶媒体）
１０  制御部（記憶制御手段、生成手段）
１５  原稿読取部（原稿読取手段）
１９  操作パネル（記憶先受付手段、記録指示受付手段、記憶指示受付手段）
２１  ＨＤＤ（記憶先情報記憶手段）
２２ａ  装着ポート（装着部）
【図１】
2008027059.tif 000003
【図２】
2008027059.tif 000004
【図３】
2008027059.tif 000005
【図４】
2008027059.tif 000006
【図５】
2008027059.tif 000007
【図６】
2008027059.tif 000008
【図７】
2008027059.tif 000009
【図８】
2008027059.tif 000010
【図９】
2008027059.tif 000011
【図１０】
2008027059.tif 000012
【図１１】
2008027059.tif 000013
【図１２】
2008027059.tif 000014